(57)【要約】【課題】風による影響が小さく確実に自立可能であり、かつ表示板の面積が大きく視認性が良好な立て看板を提供する。【解決手段】自立するフレーム部材１２，２６と、フレーム部材１２に互いに隙間を開けて取り付けられる複数個の表示板２０を備える。表示板２０には、情報を伝達する文字や絵柄が描かれている。フレーム１２，２６は、表示板２０が取り付けられる表フレーム部材１２と、表フレーム部材１２の上枠材１４ａに所定角度で上枠材２８ａが連続する裏フレーム部材２６とを有する。表フレーム部材１２と裏フレーム部材２６の下枠材１４ｂ，２８ｂどうしを、所定間隔離して連結する底フレーム部材３４を備える。表フレーム部材１２は、矩形の枠部１４と、枠部１４の内側に格子状に設けられた複数本の横棒１６と複数本の縦棒１８からなる。【選択図】図１
0003213742.tif 000002
【実用新案登録請求の範囲】
【請求項１】
自立するフレーム部材と、前記フレーム部材に互いに隙間を開けて取り付けられる複数個の表示板が設けられ、前記表示板には情報を伝達する文字や絵柄が描かれていることを特徴とする立て看板。
【請求項２】
前記フレームは、前記表示板が取り付けられる表フレーム部材と、前記表フレーム部材の上枠材に所定角度で上枠材が連続する裏フレーム部材と、前記表フレーム部材と前記裏フレーム部材の下枠材どうしを所定間隔離して連結する底フレーム部材が設けられ、前記表フレーム部材と前記裏フレーム部材の前記下枠材が所定間隔離れて地面に当接して自立する請求項１記載の立て看板。
【請求項３】
前記フレーム部材は、矩形の枠部と、前記枠部の内側に格子状に設けられた複数本の横棒と複数本の縦棒からなり、前記表示板は、前記横棒又は前記縦棒に固定されている請求項１記載の立て看板。
【請求項４】
前記表フレーム部材と前記裏フレーム部材の前記下枠材の上に、張り出し部材が載せられ、前記張り出し部材の上に重量物が載せられる請求項１又は２記載の立て看板。
【請求項５】
前記表フレーム部材と前記裏フレーム部材の上枠材どうしは蝶番で回転可能に取り付けられ、前記底フレーム部材は、前記表フレーム部材又は前記裏フレーム部材の下枠材に蝶番で回転可能に取り付けられ、前記底フレーム部材の前記蝶番と反対側の端部には前記表フレーム部材又は前記裏フレーム部材に係止される係止部材が設けられている請求項１又は２記載の立て看板。
【考案の詳細な説明】
【技術分野】
【０００１】
この考案は、道路工事現場や建設工事現場等に設置し、工事内容の案内や道路の通行案内等を表示する立て看板に関する。
【背景技術】
【０００２】
従来、道路工事現場や建設工事現場等に設置する立て看板は、工事内容の案内や道路の通行案内等が書かれた表示板と、表示板を自立させる支持部が設けられている。このような立て看板には、以下のように種々のものがある。
【０００３】
特許文献１に開示されている工事用看板スタンドは、板体の看板の周囲を看板取付枠で囲んだ看板本体と、看板本体の後面側にブランケットを介して軸止される支持脚と、看板本体に枢支され看板本体を収納できる断面Ｌ字状の枠体からなる看板支持枠体が設けられている。看板支持枠体の一方の上支持枠は看板本体の下端部に枢支され、他方の下支持枠にはキャスターが取り付けられると共に支持脚を看板本体に対して自立可能な角度に開いて連結するゴムバンドが設けられている。この工事用看板スタンドによれば、工事用看板の支持脚が開いた状態で、看板に物が当たったり、強風を受けたりした場合等において、支持脚が狭まることがなく、完全に固定されて倒れることがなく、しかも簡単に工事用看板を持ち運びすることができる。
【０００４】
特許文献２に開示されている立看板は、所定の構造で立設可能とし、一定の間隔を持たせた２本の脚柱間上部に、表示板を挿入した透明ケースを配設したものである。この立看板によれば、表示板の変更（案内や広告の変更）を簡単に行えるようにし、しかも風雨によって発生する表示部の損傷や経時変化による表示部の劣化を防止し、更に使用に当たっての取扱いを簡素化することができる。
【０００５】
特許文献３に開示されている事故防止標識は、標識板と台板を、軸部を介して折重ねできるように接合し、標識板の裏面部に、その一端を可回動にかつ標識板と台板の間に収納できるように継止杆を取り付けている。標識板を立てる際には、継止杆の他端を、台板の裏面部に設けたバネ性挟着部に挟着する。この事故防止標識によれば、取り扱いが簡便であり、標識板を、バネ性挟着部に挟着された継止杆に立てかけた状態で保持することができる。
【先行技術文献】
【特許文献】
【０００６】
【特許文献１】特開２００１−１３１９２７号公報
【特許文献２】特開２００７−８６７０５号公報
【特許文献３】実開昭４９−６０６８６号公報
【考案の概要】
【考案が解決しようとする課題】
【０００７】
上記背景技術の看板の場合、いずれも通常の天候の際は自立しているが、突風が吹くと倒れる恐れがあり、危険である。また、表示板を小さくして風が当たる面積を小さくすると倒れにくくなるが、文字や絵柄も小さくなり視認性が悪くなり、車両の運転手や通行者に内容が正確に伝わらない恐れがある。
【０００８】
この考案は、上記背景技術の問題点に鑑みてなされたものであり、風による影響が小さく確実に自立可能であり、かつ表示板の面積が大きく視認性が良好な立て看板を提供することを目的とする。
【課題を解決するための手段】
【０００９】
本考案は、自立するフレーム部材と、前記フレーム部材に互いに隙間を開けて取り付けられる複数個の表示板が設けられ、前記表示板には情報を伝達する文字や絵柄が描かれている立て看板である。
【００１０】
前記フレームは、前記表示板が取り付けられる表フレーム部材と、前記表フレーム部材の上枠材に所定角度で上枠材が連続する裏フレーム部材と、前記表フレーム部材と前記裏フレーム部材の下枠材どうしを所定間隔離して連結する底フレーム部材が設けられ、前記表フレーム部材と前記裏フレーム部材の前記下枠材が所定間隔離れて地面に当接して自立する。
【００１１】
前記表フレーム部材は、矩形の枠部と、前記枠部の内側に格子状に設けられた複数本の横棒と複数本の縦棒からなり、前記表示板は、前記横棒又は前記縦棒にネジ等で固定されている。
【００１２】
前記表フレーム部材と前記裏フレーム部材の前記下枠材の上に、張り出し部材である張り出し板が載せられ、前記張り出し板の上に土のう等の重量物が載せられて転倒を防止する。
【００１３】
前記表フレーム部材と前記裏フレーム部材の上枠材どうしは蝶番等で回転可能に取り付けられ、前記底フレーム部材は、前記表フレーム部材又は前記裏フレーム部材の下枠材に蝶番等で回転可能に取り付けられ、折り畳み可能である。前記底フレーム部材の前記蝶番と反対側の端部には、前記表フレーム部材又は前記裏フレーム部材に係止される係止部材が設けられている。
【考案の効果】
【００１４】
本考案の立て看板は、風による影響が小さく確実に自立可能であり、かつ表示板の面積が大きく視認性が良好である。複数の表示板に分割しているため、従来の１個の大きい表示板と比べて風を受ける面積が小さくなり、表示板どうしの間には隙間が設けられているため、風が通過可能であり、突風が吹いても転倒することが無く、安全である。また、簡単な構造の張り出し板を使用して、土のうで押えることができ、より確実に転倒を防止することができる。
【図面の簡単な説明】
【００１５】
【図１】この考案の一実施形態の立て看板の斜視図である。
【図２】この実施形態の表フレーム部材、裏フレーム部材、底フレーム部材を組み立てた状態を示す斜視図である。
【図３】この実施形態の表フレーム部材、裏フレーム部材、底フレーム部材を組み立てた状態を示す正面図である。
【考案を実施するための形態】
【００１６】
以下、この考案の実施形態について図面に基づいて説明する。図１、図２はこの考案の一実施形態を示すもので、この実施形態の立て看板１０は、後述する表示板２０が取り付けられる表フレーム部材１２が設けられている。表フレーム部材１２は、金属製の棒部材を矩形に組み立てた枠部１４が設けられ、枠部１４は、使用時に上方に位置し略水平となる上枠材１４ａと、下方で略水平となる下枠材１４ｂと、上枠材１４ａと下枠材１４ｂの両端部どうしを連結する一対の側枠材１４ｃにより形成され、上枠材１４ａと下枠材１４ｂは互いに同じ長さであり、側枠材１４ｃはそれよりも長く、一対の側枠材１４ｃはたがいに略平行となる。枠部１４の内側には、上枠材１４ａに対して平行な３本の横棒１６と、上枠材１４ａに対して直角な３本の縦棒１８が格子状に設けられている。各部材の交差する部分は溶接やボルト等で互いに連結されている。なお、３本の横棒１６のうち、一番下に位置する横棒１６に各縦棒１８の下端部が達して止まり、枠部１４の下枠材１４ｂには縦棒１８が達していない。
【００１７】
表フレーム部材１２の表側には、枠部１４の内側に、表示板２０が取り付けされている。表示板２０は、ここでは一方向に長い矩形であり、長手方向が上枠材１４ａに対して平行に取り付けられている。表示板２０の長手方向の両端部は、３本の縦棒１８のうちの両側２本に達し、ネジ２２で縦棒１８に各々固定されている。表示板２０は、ここでは５個が上下に並んで取り付けられている。５個の表示板２０の、長手方向の長さは同じであり、長手方向に交差する幅はそれぞれ異なる。ここでは上下に位置する２個は幅が狭く、中に位置する３個はそれよりも幅が広くて互いに同じ幅である。各表示板２０には、工事の内容や注意事項等を説明する文字２４や絵柄が描かれている。なお、各表示板２０どうしの間には隙間が開けられている。
【００１８】
表フレーム部材１２の、表示板２０が取り付けられた表面と反対の裏面側には、裏フレーム部材２６が設けられている。裏フレーム部材２６は、表フレーム部材１２と同様に金属製の棒部材を矩形に組み立てた枠部２８が設けられ、枠部２８は、使用時に上方に位置し略水平となる上枠材２８ａと、下方で略水平となる下枠材２８ｂと、上枠材２８ａと下枠材２８ｂの両端部どうしを連結する一対の側枠材２８ｃにより形成され、枠部２８は表フレーム部材１２の枠部１４とおなじ形状で同じ大きさである。枠部２８の内側には、上枠材２８ａに対して平行な１本の横棒３０が、中心よりも上枠材２８ａに近い位置に設けられている。
【００１９】
表フレーム部材１２の、枠部１４の上枠材１４ａと、裏フレーム部材２６の、枠部２８の上枠材２８ａは、蝶番３２で回転可能に連結されている。これにより、表フレーム部材１２と裏フレーム部材２６は、上枠材１４ａ，２８ａどうしを平行に接して、下枠材１４ｂ，２８ｂの間隔を開いて三角形状にすることができる。なお、蝶番３２は、上枠材１４ａ，２８ａの長手方向に沿って、所定間隔に４個が取り付けられている。
【００２０】
表フレーム部材１２の、枠部１４の下枠材１４ｂには、底フレーム部材３４が設けられている。底フレーム部材３４は、表フレーム部材１２と裏フレーム部材２６と同様に、金属製の棒部材を矩形に組み立てた枠部３６が設けられ、枠部３６は、表フレーム部材１２の枠部１４下枠材１４ｂに取り付けられる表側枠材３６ａと、表側枠材３６ａに対して平行で使用時に裏フレーム部材２６の枠部２８下枠材２８ｂに取り付けられる裏側枠材３６ｂと、表側枠材３６ａと裏側枠材３６ｂの両端部どうしを連結する一対の側枠材３６ｃにより形成されている。表側枠材３６ａは、下枠材１４ｂよりも短く、表側枠材３６ａと裏側枠材３６ｂは互いに同じ長さである。側枠材３６ｃは、表側枠材３６ａと裏側枠材３６ｂよりも長く、一対の側枠材３６ｃは互いに略平行となる。枠部３６の内側には、表側枠材３６ａに対して平行な２本の横棒３８が設けられている。裏側枠材３６ｂには、使用時に裏フレーム部材２６の下枠材１４ｂに係止される係止部材４０が取り付けられている。係止部材４０には図示しないフック部が設けられ、裏フレーム部材２６の角度が所定以上にならないようにフックをかけて係止する。
【００２１】
底フレーム部材３４の表側枠材３６ａは、表フレーム部材１２の下枠材１４ｂの中心に取り付けられ、２個の蝶番３２で回転可能に連結されている。これにより、底フレーム部材３４は、図１〜図３に示すように表フレーム部材１２と裏フレーム部材２６が三角形状に開いた状態で水平に下枠材１４ｂ，２８ｂを連結し、表フレーム部材１２と裏フレーム部材２６の角度を維持し、自立させることができる。
【００２２】
次に、立て看板１０の使用方法について説明する。表フレーム部材１２と裏フレーム部材２６を、蝶番３２を軸としておおよその角度で、下枠材１４ｂ，下枠材２８ｂが離れるように開く。底フレーム部材３４を、蝶番３２を軸として表フレーム部材１２から開き、地面に置く。裏フレーム部材２６の下枠材２８ｂを移動させて、底フレーム部材３４の係止部材４０のフックにかけ、それ以上開かないように係止する。これにより、表フレーム部材１２と裏フレーム部材２６の角度が決められ、図１、図２に示すように自立する。立て看板１０を道路工事現場や建設工事現場等に自立させて置き、車両の運転手や通行者に表示板２０の文字２４や絵柄を見せて情報を伝達する。
【００２３】
また、立て看板１０は図１に示すように、別部材の張り出し部材である張り出し板４２を置いてもよい。張り出し板４２は、土のう４６を載せて立て看板１０の転倒を防止するものであり、一方向に細長い矩形の板体であり、長手方向は底フレーム部材３４の長手方向よりも長く、長手方向に交差する幅は短い。張り出し板４２の下側面４２ａには、下側面４２ａから略直角に突出する支持突起４４が設けられている。支持突起４４は、張り出し板４２の長手方向に所定の間隔で４個設けられ、張り出し板４２の両端部に各１個、両端部から少し離れた位置に各１個が設けられ、両端部から少し離れた位置に設けられた一対の支持突起４４の間隔は、底フレーム部材３４の長手方向の長さよりも少し長い。支持突起４４の張り出し板４２の下側面４２ａからの突出長さは、表フレーム部材１２の下枠材１４ｂおよび裏フレーム部材２６の下枠材２８ｂの幅よりもわずかに長い。
【００２４】
張り出し板４２を立て看板１０に置く時は、張り出し板４２の長手方向を表フレーム部材１２の下枠材１４ｂおよび裏フレーム部材２６の下枠材２８ｂに交差させ、下枠材１４ｂ，２８ｂに載せる。張り出し板４２は、底フレーム部材３４を挟んで両側に１個ずつ載せるとバランスが良い。そして、４個の支持突起４４のうちの内側の一対の間に下枠材１４ｂ，２８ｂを挟む。これにより張り出し板４２は両端部が表フレーム部材１２と裏フレーム部材２６の外側に突出した状態となり、支持突起４４が地面に当接し、内側の一対の支持突起４４が下枠材１４ｂ，２８ｂを挟んで長手方向の位置ずれを防ぐ。張り出し板４２の両端部に、土のう４６を置き、張り出し板４２を押えることで立て看板１０の下枠材１４ｂ，２８ｂを押さえ、転倒や移動を防ぐ。風の影響がない時は、図２、図３に示すように、張り出し板４２を使用しなくてもよい。また、張り出し板４２を使用しない場合は、土のう４６を底フレーム部材３４に置いてもよい。
【００２５】
使用後は、土のう４６と張り出し板４２を外し、裏フレーム部材２６の下枠材２８ｂを底フレーム部材３４の係止部材４０から外す。これにより表フレーム部材１２、裏フレーム部材２６、底フレーム部材３４の角度は自由に変更可能となり、これらを折り重ねて畳み、コンパクトにする。枠部１４，２８を保持して簡単に持ち運ぶことができ、コンパクトなため場所を取らす保管も容易となる。
【００２６】
この実施形態の立て看板１０によれば、風による影響が小さく確実に自立可能であり、なおかつ表示板の面積が大きく視認性が良好である。複数の表示板２０に分割しているため、従来の１個の大きい表示板と比べて風を受ける面積が小さくなり、また表示板２０どうしの間には隙間が設けられているため、風が通過可能であり、突風が吹いても転倒することが無い。転倒による事故を防ぐことができ安全であり、転倒によって表示板２０等が傷むことがなく、また傷んだ所から錆びが発生して文字２４が見難くなることがない。また、簡単な構造の張り出し板４２を使用して下枠材１４ｂ，２８ｂを土のう４６で押えることができ、より確実に転倒を防止することができる。
【００２７】
金属製の棒部材を矩形に組み立てた表フレーム部材１２と裏フレーム部材２６、底フレーム部材３４で作られているため、軽量で持ち運びが容易であり、作業員の負担を軽減することができる。表示板２０は、複数個を合わせると面積が大きくなるため、文字２４や絵柄の視認性が良好である。さらに、転倒しにくいので、転倒防止のための土のう４６が少なくて済み、この点からも作業が容易になる。
【００２８】
なお、この考案の立て看板は、上記実施形態に限定されるものではなく、各部材の形状や材料等は自由に変更可能である。表示板はスチール、強化プラスチック、アルミ等何で作られてもよく、強化プラスチックの場合は他部材に当たっても凹みが発生しないという利点があり、アルミの場合は錆の発生がない。道路工事現場や建設工事以外に、店舗用やイベント用の立て看板でもよく、表示板の文字や絵柄を所望のものにして色々な目的に使用することができる。表示板は、表フレーム部材以外に裏フレーム部材や、表フレーム部材と裏フレーム部材の間の三角形の空間に取り付けてもよく、表示板をネジで固定する部分は縦棒以外に横棒や枠部でもよい。各フレーム部材を形成する枠部や横棒、縦棒となる長尺部材は、断面形状は自由であり、交差する部分の連結方法は溶接やボルト、ブラケット等、確実に連結されるものであれば良い。表示板の形状は、一方向に長い矩形以外でも良く、また垂直方向に並べる以外に水平方向に２個以上並べて固定してもよい。張り出し板に載せるものは重量物であれば良く、土のう以外に重りやブロック等でもよい。
【符号の説明】
【００２９】
１０  立て看板
１２  表フレーム部材
１４，２８，３６  枠部
１４ａ，２８ａ  上枠材
１４ｂ，２８ｂ  下枠材
１６  横棒
１８  縦棒
２０  表示板
２２  ネジ
２４  文字
２６  裏フレーム部材
３２  蝶番
３４  底フレーム部材
３６  枠部
４０  係止部材
４２  張り出し板
４６  土のう
【図１】
0003213742.tif 000003
【図２】
0003213742.tif 000004
【図３】
0003213742.tif 000005
【手続補正書】
【提出日】平成29年10月3日(2017.10.3)
【手続補正１】
【補正対象書類名】実用新案登録請求の範囲
【補正対象項目名】請求項４
【補正方法】変更
【補正の内容】
【請求項４】
前記表フレーム部材と前記裏フレーム部材の前記下枠材の上に、張り出し部材が載せられ、前記張り出し部材の上に重量物が載せられる請求項２記載の立て看板。
【手続補正２】
【補正対象書類名】実用新案登録請求の範囲
【補正対象項目名】請求項５
【補正方法】変更
【補正の内容】
【請求項５】
前記表フレーム部材と前記裏フレーム部材の上枠材どうしは蝶番で回転可能に取り付けられ、前記底フレーム部材は、前記表フレーム部材又は前記裏フレーム部材の下枠材に蝶番で回転可能に取り付けられ、前記底フレーム部材の前記蝶番と反対側の端部には前記表フレーム部材又は前記裏フレーム部材に係止される係止部材が設けられている請求項２記載の立て看板。